(57)【要約】【課題】調節可能なマウスを提供すること。【解決手段】調節可能なマウスであって、基部と、該基部に結合された親指調節アセンブリであって、該親指調節アセンブリは、引き込み位置と伸展位置との間でサムレスト部を移動させるように構成され、該親指調節アセンブリは、該サムレスト部の本体から伸展するシャフトを含み、該シャフトは、該基部から伸展する旋回ポストによって、該基部に結合され、該シャフトは、該基部に対して旋回するように構成され、かつ該サムレスト部を該基部のほうへ、そして該基部から離れるほうへ移動させるように構成される、親指調節アセンブリとを備える、調節可能なマウス。【選択図】なし【特許請求の範囲】
【請求項１】
調節可能なマウスであって、
基部と、
該基部に結合された親指調節アセンブリであって、該親指調節アセンブリは、引き込み位置と伸展位置との間でサムレスト部を移動させるように構成され、該親指調節アセンブリは、該サムレスト部の本体から伸展するシャフトを含み、該シャフトは、該基部から伸展する旋回ポストによって、該基部に結合され、該シャフトは、該基部に対して旋回するように構成され、かつ該サムレスト部を該基部のほうへ、そして該基部から離れるほうへ移動させるように構成される、親指調節アセンブリと
を備える、調節可能なマウス。
【請求項２】
前記シャフトは、ボールジョイントによって、前記サムレスト部に固着される、請求項１に記載の調節可能なマウス。
【請求項３】
前記基部の外縁に隣接するヒンジによって、該基部にヒンジ式で取り付けられたパームレスト部をさらに備え、該ヒンジは、安定した位置において該基部に対して所望の角度で該パームレスト部を位置づけるのに十分な摩擦を有する、請求項１に記載の調節可能なマウス。
【請求項４】
前記ヒンジは、ピアノ型ヒンジである、請求項３に記載の調節可能なマウス。
【請求項５】
前記パームレスト部は、前記ヒンジを導くために、かつ前記基部に対して該パームレスト部の角度調節を方向づけるために、内部湾曲レールを含む、請求項３に記載の調節可能なマウス。
【請求項６】
前記基部は、指ボタンの位置を調節するために、前記パームレスト部に隣接して位置づけられた基部調節アセンブリを含む、請求項３に記載の調節可能なマウス。
【請求項７】
前記基部調節アセンブリは、前記指ボタンを前記パームレスト部から離れるほうへ、そして該パームレスト部のほうへ伸展させるように構成される、請求項６に記載の調節可能なマウス。
【請求項８】
前記指ボタンは、使用者のフォアフィンガー、インデックスフィンガーおよびリングフィンガーによってそれぞれ、該フォアフィンガーおよび該インデックスフィンガーによって操作される該指ボタン間に位置づけられたホイールによって、操作されるように設計される、請求項７に記載の調節可能なマウス。
【請求項９】
前記基部、該基部に対して前記パームレスト部および指ボタンの高さを上昇させるために、かつそれらの位置を該基部に対して傾斜させるために、高さ調節アセンブリを含む、請求項３に記載の調節可能なマウス。
【請求項１０】
前記高さ調節アセンブリは、前記パームレスト部および前記指ボタンを支持部材に対して上昇かつ傾斜させられた位置においてロックするように構成された該支持部材を含む、請求項９に記載の調節可能なマウス。
【請求項１１】
前記高さ調節アセンブリは、前記支持部材に対して所望の位置において該アセンブリをロックするために、締まり嵌めコネクターを含む、請求項１０に記載の調節可能なマウス。
【請求項１２】
前記シャフトは、伸縮シャフトである、請求項１に記載の調節可能なマウス。
【発明の詳細な説明】
【技術分野】
【０００１】
（開示の背景）
本開示は、概して、ポインティングデバイスに関連し、特に、表面に対する二次元運動を検出し、グラフィカルユーザーインターフェース（「ＧＵＩ」）の微細な制御を可能にする調節可能なマウスに関連する。
【背景技術】
【０００２】
典型的なマウスは、二つ以上のボタンおよびスクロールホイールを含み、スクロールホイールは、ＧＵＩ上で二次元においてポインターを移動させるための追加的なボタンとしても作動することができる。マウスを操作している間、マウスが使用者の手の中で快適にフィットすることが、望ましい。そのような人間工学的に設計されたデバイスは、米国特許第５，５７６，７３３号（特許文献１）、米国特許第６，０７２，４７１号（特許文献２）、米国意匠特許第４６１，１８８号（特許文献３）、および米国意匠特許第６３２，６９１号（特許文献４）において見出されることができる。しかし、これらの特許において開示されたデバイスのうち、マウスが異なる使用者の手の中でより快適にフィットするように、マウスのサイズを可変させるように調節されることができるデバイスは一つもない。
【先行技術文献】
【特許文献】
【０００３】
【特許文献１】米国特許第５，５７６，７３３号明細書
【特許文献２】米国特許第６，０７２，４７１号明細書
【特許文献３】米国意匠特許第４６１，１８８号明細書
【特許文献４】米国意匠特許第６３２，６９１号明細書
【発明の概要】
【課題を解決するための手段】
【０００４】
（開示の概要）
上記で説明された機構など従来の機構は、様々な不備を被っている。発明の実施形態は、そのような不備を著しく解消し、基部と基部に結合された親指調節アセンブリとを備えるマウスを提供する機構および技術を提供する。一実施形態において、親指調節アセンブリは、引き込み位置と伸展位置との間でサムレスト部を移動させるように構成される。特定の実施形態において、マウスは、基部または基部に結合された指調節アセンブリを含み得る。基部調節アセンブリは、入力制御のための中立位置と入力制御のための伸展位置との間で指ボタンを移動させるように構成され得る。マウスは、基部に結合された高さ調節アセンブリをさらに含み得る。高さ調節アセンブリは、中立位置と上昇、傾斜させられた位置との間でパームレスト部および指ボタンを移動させるように構成され得る。
【０００５】
この開示において論じられる異なる特徴、技術、構成などのうちのそれぞれは、独立して実施されることができるか、または組み合わせて実施されることができるということに留意されたい。従って、本発明は、数多くの異なる方法で取り入れ、検討されることができる。
【０００６】
また、本明細書におけるこの概要部分は、本開示または本発明の、全ての実施形態および／もしくは漸次新しい様態を規定しないということにも留意されたい。代わりに、この概要は、異なる実施形態の予備的な議論および従来の技術に対する新規性の対応点のみを提供する。発明の追加的な詳細、要素、および／またはあり得る見解（置換）のために、読者は、下記でさらに論じられるように、本開示の詳細な説明部分および対応する図を読むように指示される。
【０００７】
開示の一様態は、基部と、基部に結合された親指調節アセンブリとを備える調節可能なマウスを対象とする。親指調節アセンブリは、引き込み位置と伸展位置との間でサムレスト部を移動させるように構成される。
【０００８】
調節可能なマウスの実施形態は、サムレスト部の本体から伸展するねじシャフトと、基部に関連づけられ、基部に対してねじシャフトを引き込みおよび伸展させるためにねじシャフトに螺合されたギアアセンブリとを有する親指調節アセンブリを提供することをさらに含み得る。ねじシャフトは、基部の基部カバー部において形成された開口を通って伸展し得る。ギアアセンブリは、ねじシャフトに螺着可能に結合された第一ギアと、第一ギアとかみ合うように構成された第二ギアとを含み得る。第二ギアは、使用者によって操作されたときに、第一ギアの動きを駆動するために、カバー部において形成された他の開口を通って利用可能であり得る。ギアアセンブリは、第一ギアおよび第二ギアを基部カバー部に固着するギアハウジングと、基部カバーの残部とをさらに含み得る。
【０００９】
親指調節アセンブリは、サムレスト部の本体から伸展する金属シャフトと、基部に関連づけられ、基部に対して所望の位置において金属シャフトを取り外し可能に固着するように構成された磁気アセンブリとを含み得る。磁気アセンブリは、磁石ハウジングと、磁石ハウジングによって支持された少なくとも一つの磁石とを含み得る。磁石ハウジングおよび少なくとも一つの磁石は、金属シャフトの端部の上で挟まれたｅリングによって、金属シャフト上の定位置に保たれ得る。少なくとも一つの磁石および金属シャフトは、互いに付着して、大きな静止摩擦力をうみだす。使用者は、少なくとも一つの磁石によってサムレスト部の金属シャフトに適用される摩擦力より大きな力でサムレスト部を軸方向に移動させることによって、サムレスト部を操作することができる。
【００１０】
親指調節アセンブリは、自在ボールジョイントによってサムレスト部に固着された第一伸縮シャフトを含み得、第一伸縮シャフトは、基部によって支持されて、サムレスト部を基部のほうへ、そして基部から離れるほうへ移動させる。一実施形態において、第一伸縮シャフトは、基部から伸展する旋回ポストによって、基部に結合され、伸縮シャフトは、基部に対して旋回するように構成される。他の実施形態において、親指調節アセンブリは、基部に対してサムレスト部を前後に移動させるために、基部によって支持された第二伸縮シャフトをさらに含み得る。サムレスト部は、前方片が後方片に対して移動することを可能にするヒンジによって互いに取り付けられる二つの別個の片を含み得る。ヒンジは、前方片を後ろおよび前に曲げることによって前方片がサムレスト部自体の曲率を変えることを可能にする。後方片は、様々な位置を達成するために、基部に結合されたボールソケットコネクターによって、上下に傾斜することが可能であり得る。ボールソケットコネクターは、後方片において形成されるレセプタクル内に受け取られるヘッド部と、ステムに取り付けられたヘッド部を受け取るように構成されたレセプタクルとを含み得、ステムは、サムレスト部を引き込み位置から伸展位置に移動させるために、基部に関連づけられた伸縮メカニズムに取り付けられる。
【００１１】
調節可能なマウスは、基部の外縁に隣接するヒンジによって、基部にヒンジ式で取り付けられたパームレスト部をさらに備え得、ヒンジは、安定した位置において基部に対して所望の角度でパームレスト部を位置づけるのに十分な摩擦を有する。
【００１２】
開示の他の様態は、基部と、基部の外縁に隣接するヒンジによって基部にヒンジ式で取り付けられたパームレスト部とを備える調節可能なマウスを対象とする。ヒンジは、安定した位置において基部に対して所望の角度でパームレスト部を位置づけるのに十分な摩擦を有する。
【００１３】
調節可能なマウスの実施形態は、基部に対してパームレスト部の角度調節を方向づけるために、内部湾曲レールを有するパームレスト部を構成することをさらに含み得る。
【００１４】
開示のさらなる他の様態は、基部と、基部に結合されたパームレスト部とを備える調節可能なマウスを対象とする。パームレスト部は、縦横方向に拡張するように構成された複数の指を有する。
【００１５】
開示のさらなる様態は、基部と、基部に結合された親指調節アセンブリとを備える調節可能なマウスを対象とする。親指調節アセンブリは、引き込み位置と伸展位置との間でサムレスト部を移動させるように構成される。調節可能なマウスは、基部に結合された基部調節アセンブリをさらに備える。基部調節アセンブリは、入力制御のための中立位置と入力制御のための伸展位置との間で指ボタンを移動させるように構成される。
【００１６】
調節可能なマウスの実施形態は、基部に結合された高さ調節アセンブリをさらに含み得る。高さ調節アセンブリは、中立位置と上昇、傾斜させられた位置との間でパームレスト部および指ボタンを移動させるように構成される。
【００１７】
開示の他の様態は、基部と、基部に結合された基部調節アセンブリとを備える調節可能なマウスを対象とする。基部調節アセンブリは、入力制御のための中立位置と入力制御のための伸展位置との間で指ボタンを移動させるように構成される。
【００１８】
開示のさらなる様態は、基部と、基部に結合された高さ調節アセンブリとを備える調節可能なマウスを対象とする。高さ調節アセンブリは、中立位置と上昇、傾斜させられた位置との間でパームレスト部および指ボタンを移動させるように構成される。
本発明は、例えば、以下の項目を提供する。
（項目１）
調節可能なマウスであって、
基部と、
該基部に結合された親指調節アセンブリであって、該親指調節アセンブリは、引き込み位置と伸展位置との間でサムレスト部を移動させるように構成され、該親指調節アセンブリは、該サムレスト部の本体から伸展するシャフトを含み、該シャフトは、該基部から伸展する旋回ポストによって、該基部に結合され、該シャフトは、該基部に対して旋回するように構成され、かつ該サムレスト部を該基部のほうへ、そして該基部から離れるほうへ移動させるように構成される、親指調節アセンブリと
を備える、調節可能なマウス。
（項目２）
上記シャフトは、ボールジョイントによって、上記サムレスト部に固着される、上記項目に記載の調節可能なマウス。
（項目３）
上記基部の外縁に隣接するヒンジによって、該基部にヒンジ式で取り付けられたパームレスト部をさらに備え、該ヒンジは、安定した位置において該基部に対して所望の角度で該パームレスト部を位置づけるのに十分な摩擦を有する、上記項目のいずれかに記載の調節可能なマウス。
（項目４）
上記ヒンジは、ピアノ型ヒンジである、上記項目のいずれかに記載の調節可能なマウス。
（項目５）
上記パームレスト部は、上記ヒンジを導くために、かつ上記基部に対して該パームレスト部の角度調節を方向づけるために、内部湾曲レールを含む、上記項目のいずれかに記載の調節可能なマウス。
（項目６）
上記基部は、指ボタンの位置を調節するために、上記パームレスト部に隣接して位置づけられた基部調節アセンブリを含む、上記項目のいずれかに記載の調節可能なマウス。
（項目７）
上記基部調節アセンブリは、上記指ボタンを上記パームレスト部から離れるほうへ、そして該パームレスト部のほうへ伸展させるように構成される、上記項目のいずれかに記載の調節可能なマウス。
（項目８）
上記指ボタンは、使用者のフォアフィンガー、インデックスフィンガーおよびリングフィンガーによってそれぞれ、該フォアフィンガーおよび該インデックスフィンガーによって操作される該指ボタン間に位置づけられたホイールによって、操作されるように設計される、上記項目のいずれかに記載の調節可能なマウス。
（項目９）
上記基部は、該基部に対して上記パームレスト部および指ボタンの高さを上昇させるために、かつそれらの位置を該基部に対して傾斜させるために、高さ調節アセンブリを含む、上記項目のいずれかに記載の調節可能なマウス。
（項目１０）
上記高さ調節アセンブリは、上記パームレスト部および上記指ボタンを支持部材に対して上昇かつ傾斜させられた位置においてロックするように構成された該支持部材を含む、上記項目のいずれかに記載の調節可能なマウス。
（項目１１）
上記高さ調節アセンブリは、上記支持部材に対して所望の位置において該アセンブリをロックするために、締まり嵌めコネクターを含む、上記項目のいずれかに記載の調節可能なマウス。
（項目１２）
上記シャフトは、伸縮シャフトである、上記項目のいずれかに記載の調節可能なマウス。
（摘要）
調節可能なマウスは、基部と、基部に結合された親指調節アセンブリとを含む。親指調節アセンブリは、引き込み位置と伸展位置との間でサムレスト部を移動させるように構成される。親指調節アセンブリは、サムレスト部の本体から伸展するシャフトを含む。シャフトは、基部から伸展する旋回ポストによって、基部に結合される。シャフトは、基部に対して旋回するように構成され、かつサムレスト部を基部のほうへ、そして基部から離れるほうへ移動させるように構成される。
【図面の簡単な説明】
【００１９】
以上のことは、同じ参照記号が異なる図面を通して同じ部品を指す添付の図面に例示されるように、発明の好ましい実施形態の以下のより具体的な説明から明らかになるだろう。図面は、必ずしも一定の縮尺比ではなく、代わりに発明の原理を例示することに重点が置かれている。
【００２０】
【図１】図１は、本開示の実施形態の調節可能なマウスの斜視図であり、親指調節アセンブリは、引き込み位置にある。
【００２１】
【図２】図２は、マウスの斜視図であり、親指調節アセンブリは、伸展位置にある。
【００２２】
【図３】図３は、マウスの斜視図であり、基部調節アセンブリは、入力制御のために、中立位置にある。
【００２３】
【図４】図４は、マウスの斜視図であり、基部調節アセンブリは、入力制御のために、伸展位置にある。
【００２４】
【図５】図５は、マウスの斜視図であり、高さ調節アセンブリは、中立位置にある。
【００２５】
【図６】図６は、マウスの斜視図であり、高さ調節アセンブリは、上昇、傾斜させられた位置にある。
【００２６】
【図７】図７は、親指調節アセンブリの二片部の斜視図である。
【００２７】
【図８】図８は、図７に示された、ヒンジの周りを旋回する親指調節アセンブリの二片部の斜視図である。
【００２８】
【図９】図９は、親指調節機構の二片部に固着されたボールソケットコネクターの斜視図である。
【００２９】
【図１０】図１０は、二片部およびボールソケットコネクターの分解された斜視図である。
【００３０】
【図１１】図１１は、マウスの上面図であり、親指調節アセンブリの二片部およびボールソケットコネクターの様態を示す。
【００３１】
【図１２】図１２は、マウスの分解された上面図であり、親指調節アセンブリの二片部およびボールソケットコネクターの様態を示す。
【００３２】
【図１３】図１３は、マウスの斜視図であり、中立位置における高さ調節アセンブリを示す。
【００３３】
【図１４】図１４は、マウスの斜視図であり、上昇、傾斜させられた位置における高さ調節アセンブリを示す。
【００３４】
【図１５】図１５は、開示の他の実施形態の調節可能なマウスのモデルの斜視図である。
【００３５】
【図１６】図１６は、開示の他の実施形態の調節可能なマウスのモデルの斜視図である。
【００３６】
【図１７】図１７は、開示の他の実施形態の調節可能なマウスの斜視図である。
【００３７】
【図１８】図１８は、開示の他の実施形態の調節可能なマウスの斜視図である。
【００３８】
【図１９】図１９は、開示の他の実施形態の調節可能なマウスの斜視図である。
【００３９】
【図２０】図２０は、開示の他の実施形態の調節可能なマウスの斜視図である。
【００４０】
【図２１】図２１は、開示の他の実施形態の調節可能なマウスの斜視図である。
【００４１】
【図２２】図２２は、開示の他の実施形態の調節可能なマウスの斜視図である。
【００４２】
【図２３】図２３は、開示の他の実施形態の調節可能なマウスの斜視図である。
【００４３】
【図２４】図２４は、開示の他の実施形態の調節可能なマウスの斜視図である。
【００４４】
【図２５】図２５は、開示の他の実施形態の調節可能なマウスの斜視図である。
【００４５】
【図２６】図２６は、開示の他の実施形態の調節可能なマウスの斜視図である。
【００４６】
【図２７】図２７Ａおよび２７Ｂは、本開示の他の実施形態の調節可能なマウスの上面図であり、親指調節アセンブリは、引き込み位置（図２７Ａ）および伸展位置（図２７Ｂ）にある。
【００４７】
【図２８】図２８は、図２７Ａおよび２７Ｂに示された親指調節アセンブリの分解された斜視図である。
【００４８】
【図２９】図２９Ａおよび２９Ｂは、取り外された部分を有する斜視図であり、引き込み位置（図２９Ａ）および伸展位置（図２９Ｂ）における親指調節アセンブリを示す。
【００４９】
【図３０】図３０は、本開示の他の実施形態の親指調節アセンブリの斜視図である。
【００５０】
【図３１】図３１Ａおよび３１Ｂは、図３０に示されたマウスの取り外された部分を有する斜視図であり、引き込み位置（図３１Ａ）および伸展位置（図３１Ｂ）における、さらなる他の実施形態の親指調節アセンブリを示す。
【００５１】
【図３２】図３２は、親指調節アセンブリの分解された斜視図である。
【００５２】
【図３３】図３３Ａおよび３３Ｂは、他の実施形態の親指調節アセンブリの側面概略図および上面概略図であり、引き込み位置における親指調節アセンブリを示す。
【００５３】
【図３４】図３４Ａおよび３４Ｂは、図３３Ａおよび３３Ｂに示された親指調節アセンブリの側面概略図および上面概略図であり、伸展位置における親指調整アセンブリを示す。
【００５４】
【図３５】図３５Ａおよび図３５Ｂは、他の実施形態の親指調整アセンブリの側面概略図および上面概略図であり、引き込み位置における親指調整アセンブリを示す。
【００５５】
【図３６】図３６Ａおよび図３６Ｂは、図３５Ａおよび３５Ｂに示された親指調整アセンブリの側面概略図および上面概略図であり、伸展位置における親指調整アセンブリを示す。
【００５６】
【図３７】図３７Ａ、３７Ｂおよび３７Ｃは、他の実施形態の調節可能なマウスの概略図であり、調節可能なマウスのパームレストを調節するための角度調節アセンブリを示す。
【００５７】
【図３８】図３８Ａ、３８Ｂおよび３８Ｃは、他の実施形態の調節可能なマウスの概略図であり、調節可能なマウスのパームレストを調節するための角度調節アセンブリを示す。
【００５８】
【図３９】図３９は、本開示の他の実施形態の調節可能なマウスの斜視図であり、調節可能なマウスのパームレスト部の角度を調節するために使用されるくさび部を示す。
【００５９】
【図４０】図４０Ａ、４０Ｂおよび４０Ｃは、本開示の他の実施形態の調節可能なマウスの斜視図であり、引き込み位置における指伸展（図４０Ａ）、部分的な伸展位置における指伸展（図４０Ｂ）、および完全な伸展位置における指伸展（図４０Ｃ）を示す。
【００６０】
【図４１】図４１は、開示の他の実施形態の調節可能なマウスの斜視図である。
【００６１】
【図４２】図４２は、開示の他の実施形態の調節可能なマウスの斜視図である。
【００６２】
【図４３】図４３は、開示の他の実施形態の調節可能なマウスの斜視図である。
【００６３】
【図４４】図４４は、開示の他の実施形態の調節可能なマウスの斜視図である。
【００６４】
【図４５】図４５は、開示の他の実施形態の調節可能なマウスの斜視図である。
【００６５】
【図４６】図４６は、開示の他の実施形態の調節可能なマウスの斜視図である。
【００６６】
【図４７】図４７は、開示の他の実施形態の調節可能なマウスの斜視図である。
【発明を実施するための形態】
【００６７】
（開示の詳細な説明）
本開示の様態は、使用者の手により良く適応するように、パームレスト部、サムレスト部、およびマウスのボタンの場所を調節するように構成されたマウスを対象とする。従って、本開示の実施形態のマウスは、特定の使用者の手のサイズに合うように調節されることが可能である。一実施形態において、マウスは、マウスのパームレスト部を画定する本体の角度を調節することが可能である。特に、マウスは、旋回ポイントを低くかつマウスの外側上に保つために、マウスのパームレスト部の基部および底部において調節可能である。パームレスト部および関連づけられた入力制御は、アーク上で旋回し、アークは、それによって、マウスを使用者にとってより人間工学的に効率的にする。例えば、調節可能なマウスは、使用者が調節することのできる可変する角度調整が、手にとって適切に設計されていない角度に固定されたマウスを使用する際に使用され過ぎるかまたは活発になり過ぎる神経および筋肉へのストレスを軽減することを可能にする。調節可能なマウスは、そのマウスで快適であると最初に思われたが、従前の調節によって長時間の使用が手の他の領域においてストレスを生んだ後に快適でないと分かった位置において、ストレスを軽減するように構成される。
【００６８】
開示の他の様態は、使用者の親指のいくつかの自由軸を提供する、親指調節アセンブリを有するマウスを対象とする。一実施形態において、親指調節アセンブリは、サムレスト部と、サムレスト部から伸展するねじシャフトとを含む。ギアアセンブリは、基部と関連づけられ、基部に対してねじシャフトを引き込みおよび伸展させるために、ねじシャフトに螺合される。他の実施形態において、親指調節アセンブリは、サムレスト部から伸展する金属シャフトと、基部に関連づけられる磁気アセンブリとを含み、磁気アセンブリは、基部に対して所望の位置において金属シャフトを取り外し可能に固着するように構成される。さらなる他の実施形態において、親指調節アセンブリは、自在ボールジョイントによってサムレスト部に固着された第一伸縮シャフトを含み、第一伸縮シャフトは、基部によって支持されて、サムレスト部を基部のほうへ、そして基部から離れるほうへ移動させる。第二伸縮シャフトは、サムレスト部を基部に対して前後に移動させるために、提供され得る。さらなる実施形態において、親指調節アセンブリは、異なるサイズの親指のための長いサムレスト部を有するボールソケットコネクターを含む。特定の実施形態において、代替サムレスト部は、（二重ボールジョイントに加えて）サムレスト部をより大きくするためかつ／またはサムレスト部の位置づけを再調節するために、摺動伸展部も有するより小さいサイズのサムレスト部であることができる。特に、サムレスト部は、前方片が後方片に対して移動することを可能にするヒンジまたはレバーによって取り付けられる二つの別個の片を取り入れ得、後方片は、上下に傾斜することが可能であり、サムレスト部は、他の可変する位置において傾斜する能力を有し得る。
【００６９】
後方片は、回転軸またはレバーによって置き換えられることができるボールジョイントによって、様々な位置のうち任意の位置において、上下に傾斜することが可能である。サムレスト部の後方片は、ボールジョイントによって、入力制御部に固着され得るか、または、後方片は、基部に固着され得る。サムレスト部の前方片は、前方片を後ろおよび前に曲げることによって前方片がサムレスト部自体の曲率を変えることを可能にするヒンジによって、後方片に付着し得る。一実施形態において、後方片は、内外の伸縮を可能にする機構を有するボールジョイントによって、基部に取り付けられる。一実施形態において、サムレスト部は、サムレスト部を把持片上に位置づけることによって、親指がマウスをより良く保持することを可能にするサムレスト部上の小さい片を含む。小さい片は、切り離され得、サイズおよび厚さが可変する把持片は、より良い快適さおよび可動性のためにその場所に置かれ得る。一実施形態において、把持片は、より良い快適さおよび可動性のために、一つの場所ではなく、サムレスト部上の様々な場所に置かれることができる。小さい片は、親指が内外に伸びることを可能にすることによって、マウスを移動させる際に、マウスのより良い制御を可能にする。
【００７０】
開示の他の実施形態は、使用者の指（まっすぐである必要はない）がピッチおよび伸長を有するように、アーク上のパームレスト部から前方に伸展する入力制御ボタンを有するマウスを対象とする。
【００７１】
マウスの他の様態は、パームレスト部の外側底部におけるフレア面と、手の外側を動きの表面から離しておくための入力制御部と、マウスの上面における運搬のためのリップと、調節の傾斜角度をロックし、かつアークに沿って入力制御ボタンの伸展をロックするためのロック特徴とを含み得る。
【００７２】
ここで、図面、特に図１〜６を参照すると、調節可能なマウスの実施形態は、概して１０で表示される。示されるように、マウス１０は、使用者の右手のために構成される。マウス１０は、使用者の左手のために構成され得、依然として本開示の範囲内に該当することが理解されるべきである。上記のように、マウス１０は、ＧＵＩにおける二次元におけるポインターの運動を制御するように構成され、マウスは、使用者の手の動きを等しい電気信号に変換して、ポインターを従来の方法で移動させる。下記においてより詳細に論じられるように、使用者による特定の行為を実行するために「クリックされ」得るボタンは、マウス上に提供される。
【００７３】
図１および２は、基部１２と、基部に固着された内部枠構造（示されていない）と、使用者の手にフィットする形態であるパームレスト部１４とを有するマウス１０を例示する。示されるように、マウス１０は、概して１６で表示される親指調節アセンブリをさらに含み、親指調節アセンブリ１６は、二片サムレスト部１８を図１に例示された引き込み位置と図２に例示された伸展位置との間で移動させるように構成される。図７〜１２を参照して下記においてより詳細に説明されるように、二片サムレスト部１８は、サムレスト部を伸展させそして引き込むように構成されたボールソケットコネクター２０によって、基部１２の内部枠構造に接続される。
【００７４】
図３および４は、概して２２で表示される基部調節アセンブリであって、２４ａ、２４ｂおよび２４ｃで表示される指ボタンの位置を調節するために、パームレスト部１４に隣接して提供される基部調節アセンブリを有するマウス１０を例示する。基部調節アセンブリ２２は、指調節アセンブリとも呼ばれ得る。マウス１０の基部調節アセンブリ２２は、より大きい手を有する操作者に適応するように、指ボタン２４ａ、２４ｂおよび２４ｃをパームレスト部１４から離れるほうへ伸展させるように設計される。図３は、より小さい手を有する人のための入力制御のために、中立位置におけるマウス１０の基部調節アセンブリ２２を例示する。図４は、より大きい手および／または指を有する人のための入力制御のために、伸展位置におけるマウス１０の基部調節アセンブリ２２を例示する。指ボタン２４ａ、２４ｂおよび２４ｃは、使用者のフォアフィンガー（ｆｏｒｅ  ｆｉｎｇｅｒ）、インデックスフィンガー（ｉｎｄｅｘ  ｆｉｎｇｅｒ）およびリングフィンガーでそれぞれ操作されるように設計され、ホイール２６は、フォアフィンガーおよびインデックスフィンガーによって操作される指ボタン２４ａと２４ｂとの間に提供される。三つの指ボタン２４ａ、２４ｂおよび２４ｃは、マウス１０に提供されるが、より少ない指ボタン（例えば２つ）もしくはより多い指ボタン（例えば４つ）を有するマウスまたはホイールを有さないマウスは、提供され得るということが理解されるべきである。示されるように、基部調節アセンブリ２２は、操作者の手に適合するように、指ボタン２４ａ、２４ｂおよび２４ｃをアークに沿って伸展させる。
【００７５】
図５および６は、概して２８で表示される高さ調節アセンブリを有するマウス１０を例示し、高さ調節アセンブリは、パームレスト部１４ならびに指ボタン２４ａ、２４ｂおよび２４ｃの高さを基部１２に対して上昇させて、これらの構成要素の位置を傾斜させる。図５は、中立位置におけるマウス１０の高さ調節アセンブリ２８を例示し、パームレスト部１４および指ボタン２４ａ、２４ｂおよび２４ｃは、マウスの基部１２に隣接して配置される。図６は、上昇、傾斜させられた位置におけるマウス１０の高さ調節アセンブリ２８を例示し、パームレスト部１４および指ボタン２４ａ、２４ｂおよび２４ｃは、基部１２に対して上昇させられ、かつ傾斜させられている。
【００７６】
図７〜１２を見ると、親指調節アセンブリ１６の一実施形態の構造は、より詳細に説明されるだろう。図７および８は、二つの別個の片３０、３２を有する親指調節アセンブリ１６の二片サムレスト部１８を例示し、二つの別個の片３０、３２は、前方片３０が後方片３２に対して移動することを可能にするヒンジ３４によって取り付けられ、後方片は、様々な位置のうち任意の位置を達成するために、上下に傾斜することが可能である。後方片３２は、回転軸またはレバーによって置き換えられることができるボールソケットコネクター２０によって、上下に傾斜することが可能である。サムレスト部１８の後方片３２は、ボールソケットコネクター２０によって、入力制御部に固着され得るか、または、後方片は、基部１２に固着され得る。
【００７７】
図８に示されるように、サムレスト部１８の前方片３０は、ヒンジ３４によって、後方片３２に付着し得、ヒンジ３４は、前方片を後ろおよび前に曲げることによって前方片がサムレスト部自体の曲率を変えることを可能にする。後方片３２は、内外の伸縮を可能にする機構を有するボールソケットコネクター２０によって、基部１２に取り付けられる。一実施形態において、親指調節アセンブリ１６は、サムレスト部１８を定位置にロックするために、所望の伸展位置にロックするように構成される。特定の実施形態において、サムレスト部１８は、専用のロック機構によって、またはサムレスト部が内外に伸展することを可能にする機構に関連づけられた摩擦によって、定位置にロックされることができる。親指調節アセンブリ１６は、前方片３０および後方片３２を互いに対して所望の位置にロックするようにさらに構成されることができる。
【００７８】
他の実施形態において、サムレスト部の小さい片は、サムレスト部を把持片上に位置づけることによって、親指がマウスをより良く保持することを可能にする。小さい片は、切り離され得、サイズおよび厚さが可変する把持片は、より良い快適さおよび可動性のためにその場所に置かれ得る。例えば、把持片は、より良い快適さおよび可動性のために、サムレスト上の様々な場所に置かれることができる。小さい片は、親指が内外に伸びることを可能にすることによって、マウスが移動させられるときに、マウスのより良い制御を可能にする。
【００７９】
図９および１０は、ボールソケットコネクター２０に接続された後方片３２を例示する。示されるように、ボールソケットコネクター２０は、親指調節アセンブリ１６の後方片３２において形成されるレセプタクル３８内に受け取られるヘッド部３６を含む。ボールソケットコネクター２０は、ステム４４に取り付けられたヘッド部４２を受け取るように構成されたレセプタクル４０をさらに含む。一実施形態において、ステム４４は、ステム、ボールソケットコネクター２０、および後方片３２を引き込み位置から伸展位置に移動させるために、マウス１０の基部１２の枠構造に関連づけられた伸縮メカニズムに取り付けられる。上記のように、後方片３２は、所望の伸展位置においてロックするように構成される。例えば、ボールソケットコネクター２０は、サムレスト部を定位置にロックするために伸展位置に伸展させられた場合、サムレスト部１８の後方片３２を本質的にロックするように構成される。同様に、前方片３０は、類似の方法でロックするように構成され得る。親指調節アセンブリ１６をロックするために、任意の数の機構が含まれ得る。
【００８０】
図１１および１２は、親指調節アセンブリ１６および基部調節アセンブリ２２の構造を例示する。図１１は、伸展位置における親指調節アセンブリ１６および基部調節アセンブリ２２を例示し、図１２は、マウス１０の基部１２から分解された親指調節アセンブリ１６を示す。示されるように、基部調節アセンブリ２２は、指ボタン２４ａ、２４ｂおよび２４ｃをパームレスト部１４から離れるほうへ基部１２に対して略円弧方向に伸展させる。一実施形態において、基部調節アセンブリ２２は、指ボタン２４ａ、２４ｂおよび２４ｃを所望の伸展位置においてロックするように構成される。例えば、基部調節アセンブリ２２を構成する構成部品は、アセンブリを所望の位置において本質的にロックする締まり嵌めコネクターを含み得る。
【００８１】
図１３および１４は、高さ調節アセンブリ２８の構造を例示する。図１３は、中立位置または下降させられた位置における、パームレスト部１４ならびに指ボタン２４ａ、２４ｂおよび２４ｃを示す。図１４は、上昇、傾斜させられた位置における、パームレスト部１４ならびに指ボタン２４ａ、２４ｂおよび２４ｃを示す。示されるように、基部１２は、パームレスト部１４ならびに指ボタン２４ａ、２４ｂおよび２４ｃが接続される支持部材４６を含む。一実施形態において、高さ調節アセンブリ２８は、パームレスト部１４ならびに指ボタン２４ａ、２４ｂおよび２４ｃを支持部材４６に対して上昇かつ傾斜させられた位置においてロックするように構成される。例えば、高さ調節アセンブリ２８を構成する構成部品（支持部材４６を含む）は、支持部材４６に対してアセンブリを所望の位置において本質的にロックする締まり嵌めコネクターを含み得る。
【００８２】
図１５および１６は、概して５０で表示されるマウスであって、親指調節アセンブリを有するマウスの本開示の代替実施形態を例示する。示されるように、マウス５０は、分割サムレスト部調節特徴を含む。
【００８３】
図１７〜２６は、本開示の他の実施形態の、概して６０で表示されるマウスを例示する。示されるように、マウス６０は、アークに沿って入力制御指の位置を調節する特徴を含む。また、入力制御指は、互いに対して広げられるように構成され得る。
【００８４】
図２７Ａおよび２７Ｂを参照すると、調節可能なマウスの実施形態は、概して７０で表示される。示されるように、マウス７０は、使用者の右手のために構成されるが、しかし、マウスは、代わりに使用者の左手のために構成され得るということが理解されるべきである。他の実施形態について、マウス７０は、ＧＵＩにおける二次元におけるポインターの運動を制御するように構成され、マウスは、使用者の手の動きを等しい電気信号に変換して、ポインターを従来の方法で移動させる。マウス７０は、使用者の手にフィットする形態である統合されたパームレスト部を有する基部７２を有する。マウス７０は、概して７４で表示される親指調節アセンブリをさらに含み、親指調節アセンブリ７４は、図２７Ａに例示された引き込み位置と図２７Ｂに例示された伸展位置との間で、下記においてより詳細に説明されるギアアセンブリによって、サムレスト部７６を移動させるように構成される。特定の実施形態において、サムレスト部７６は、上記の二部品レスト部を取り入れることができ、かつ、サムレスト部の動きを操作するために、サムリッジを含むことができる。
【００８５】
図２８、２９Ａおよび２９Ｂを追加的に参照すると、親指調節アセンブリ７４の構造は、より詳細に説明されるだろう。示されるように、サムレスト部７６は、サムレスト部の本体から伸展するねじシャフト７８を含む。ねじシャフト７８は、基部７２の基部カバー部８２において形成された開口８０を通って伸展し、第一ギア８４に螺合される。基部カバー部８２において形成された他の開口８８を通って利用可能な第二ギア８６は、例えば使用者の親指によって操作されたときに、第一ギア８４とかみ合って、第一ギアの動きを駆動する。ギアアセンブリは、第一ギア８４および第二ギア８６を基部カバー部８２の内面および基部カバーの残部に固着するギアハウジング９０を含む。
【００８６】
作動の間、図２９Ａは、引き込み位置におけるサムレスト部７６を表す。使用者の親指による第二ギア８６の回転は、第一ギア８４の回転を引き起こし、第一ギアの回転は、次に、サムレスト部７６のねじシャフト７８を基部７２に対して外側に回転させる。この動きによって、サムレスト部７６は、図２９Ｂに表された伸展部を達成する。この動きは、上記のスクロールホイールの回転と類似した方法で第二ギア８６を回転させることによって、使用者によって、容易に達成される。
【００８７】
図３０を参照すると、調節可能なマウスの他の実施形態は、概して１００で表示される。示されるように、マウス１００は、使用者の手にフィットする形態である統合されたパームレスト部を有する基部１０２を有する。マウス１００は、概して１０４で表示される親指調節アセンブリをさらに含み、親指調節アセンブリ１０４は、図３１Ａに例示された引き込み位置と図３１Ｂに例示された伸展位置との間で、下記においてより詳細に説明される磁気アセンブリによって、サムレスト部１０６を移動させるように構成される。
【００８８】
図３２を追加的に参照すると、親指調節アセンブリ１０４の構造は、より詳細に説明されるだろう。示されるように、サムレスト部１０６は、サムレスト部の本体から伸展する金属シャフト１０８を含む。金属シャフト１０８は、基部１０２の基部カバー部１１２において形成された開口１１０を通って伸展し、磁石ハウジング１１４と磁石ハウジングによって支持された二つの磁石（それぞれ１１６で表示される）とを有する磁気アセンブリによって受け取られる。磁石ハウジング１１４および磁石１１６は、金属シャフト１０８の端部の上を挟むように設計されたｅリング１１８によって、金属シャフト上の定位置に保たれる。
【００８９】
作動の間、一度磁石１１６が磁石ハウジング１１４の中に軸方向に摺動させられると、磁石および金属シャフト１０８は、互いに付着して、大きな静止摩擦力をうみだす。使用者は、磁石１１６によってサムレスト部の金属シャフト１０８に適用される摩擦力より大きい力でサムレスト部を軸方向に移動させることによって、サムレスト部１０６を操作することができる。一度使用者がサムレスト部１０６の所望の伸展を選択すると、摩擦力は、所望の伸展においてサムレスト部を維持する。上記のように、図３１Ａは、引き込み位置におけるサムレスト部１０６を表す。サムレスト部１０６に適用される使用者の動きは、図３１Ｂに表された伸展部を達成することができる。
【００９０】
図３３Ａ、３３Ｂ、３４Ａおよび３４Ｂは、概して１３０で表示される親指調節アセンブリの他の実施形態を例示する。示されるように、親指調節アセンブリ１３０は、自在ボールジョイント１３６によって第一伸縮シャフト１３４に固着されたサムレスト部１３２を含む。第一伸縮シャフト１３４は、基部１３８によって支持され、かつ、サムレスト部１３２を引き込み位置（図３３Ａおよび３３Ｂ）または伸展位置（図３４Ａおよび３４Ｂ）において基部から離れて位置づけるために使用されることができる。一実施形態において、第一伸縮シャフト１３４は、サムレスト部１３２をおよそ６ミリメートル（ｍｍ）移動させることができる。親指調節アセンブリ１３０は、サムレスト部１３２を前後に移動させるために、基部１３８によって支持された第二伸縮シャフト１４０をさらに含むことができる。図３３Ｂは、後方位置におけるサムレスト部１３２を例示する。図３４Ｂは、前方位置におけるサムレスト部１３２を例示する。一実施形態において、第二伸縮シャフト１４０は、サムレスト部をおよそ７ｍｍ移動させることができる。特定の実施形態において、第一伸縮シャフト１３４および第二伸縮シャフト１４０は、使用者の手に適応するように、サムレスト部１３２の角度を基部１３８に対して変えるように操作されることができる。
【００９１】
図３５Ａ、３５Ｂ、３６Ａおよび３６Ｂは、概して１３００で表示される親指調節アセンブリの他の実施形態を例示し、親指調節アセンブリ１３００は、図３３Ａ、３３Ｂ、３４Ａおよび３４Ｂにおいて示された親指調節アセンブリ１３０と類似して組み立てられる。示されるように、親指調節アセンブリ１３００は、自在ボールジョイント１３６０によって伸縮シャフト１３４０に固着されたサムレスト部１３２０を含む。伸縮シャフト１３４０は、基部１３８０によって支持され、かつ、サムレスト部１３２０を引き込み位置（図３５Ａおよび３５Ｂ）において位置づけるために、または伸展位置（図３６Ａおよび３６Ｂ）において基部から離れて位置づけるために、使用されることができる。一実施形態において、伸縮シャフト１３４０は、サムレスト部１３２０をおよそ６ミリメートル（ｍｍ）移動させることができる。示された実施形態において、伸縮シャフト１３４０は、旋回ポスト１４００によって、基部１３８０に旋回可能に接続される。示されるように、旋回ポスト１４００は、基部から垂直に伸展する。図３５Ｂは、伸縮シャフト１３４０が、基部１３８０の方向に概して直角または垂直な方向に旋回ポスト１４００から伸展する位置におけるサムレスト部１３２０を例示する。図３６Ｂは、伸縮シャフト１３４０が、前方に旋回させられた方向において旋回ポスト１４００から伸展する前方押圧位置におけるサムレスト部１３２０を例示する。特定の実施形態において、伸縮シャフト１３４０は、使用者の手に適応するように、サムレスト部１３２０の角度を基部１３８０に対して変えるように操作されることができる。
【００９２】
親指調節アセンブリ１３００は、製造が効率的かつより容易であり（他の実施形態より複雑でない）、使用耐久性があり、かつ管理可能な量の構成部品（例えばサムレスト部１３２０、シャフト１３４０、ボールジョイント１３６０および旋回ポスト１４００）を取り入れるということを、親指調節アセンブリのこの実施形態のいくつかの目的および有利な点は、含む。親指調節アセンブリ１３００は、構成要素の摩擦嵌合によってサムレスト部の簡易的だが効率的な保持および位置づけを提供し、使用者にとって便利であり、直感的に使用でき、かつ即座に使用および調節されることができるということを、親指調節アセンブリのこの実施形態の追加的な目的および有利な点は、含む。
【００９３】
本明細書において開示される親指調節アセンブリの複数の実施形態について、使用者が人間工学的に快適な位置においてサムレスト部を移動させることを可能にするために、単一ボールジョイントは、簡易性のために、使用されることができる。単一ボールジョイントは、サムレスト部を伸展させることに対して、二重ボールジョイントの所望の結果を達成することができる。二重ボールジョイントの追加された有益性は、サムレスト部が上下に移動することを可能にしながら、サムレスト部が一つの位置に固定されることを可能にしている。これは、それぞれの部分の角度で他の腕をつくりだす、第一および第二ボールジョイントを接続するロッドによって、可能である。二重ボールジョイントは、サムレスト部が時計回り、反時計回りに移動させられ、かつ複数の方向に傾斜することを可能にするために、さらに使用されることができる。親指調節アセンブリは、調節可能なマウス本体のほうへ、または調節可能なマウス本体から離れるほうへサムレスト部を移動させ、それによって、使用者の手の特定の特徴に適応するように、使用され得る。本明細書において開示される実施形態は、親指が手の残部からさらに離れるほうへ移動させられることを可能にすることによって、使用者の手が拡張することを可能にするように設計される。これは、使用者の手にとって小さすぎるマウスに関連づけられた痙攣および／または痛みを軽減する。親指調節アセンブリは、使用者がサムレスト部を調節可能なマウスの基部から離れて所望の位置に位置づけることを可能にする。
【００９４】
図３７Ａ、３７Ｂおよび３７Ｃを参照すると、調節可能なマウスは、概して１５０で表示される。示されるように、調節可能なマウス１５０は、基部１５２と、基部の外縁においてヒンジ１５６によって、基部にヒンジ式で取り付けられたパームレスト部１５４とを含む。一実施形態において、ヒンジ１５０は、安定した位置において基部１５２に対して所望の角度でパームレスト部１５４を位置づけるのに十分な摩擦を有する。特定の実施形態において、ヒンジ１５６は、ピアノ型ヒンジであり、長いヒンジとも呼ばれることができる。使用者は、基部１５２に対してパームレスト部１５４を旋回させ、ヒンジ１５６の摩擦がパームレスト部を所望の位置において維持することを可能にすることによって、所望の角度を選択することができる。パームレスト部の構造は、本明細書において開示されるパームレスト部の設計のうち任意の設計を取り入れ得る。
【００９５】
図３８Ａ、３８Ｂおよび３８Ｃは、概して１６０で表示される調節可能なマウスであって、調節可能なマウス１５０と類似して組み立てられる調節可能なマウスを例示する。示されるように、調節可能なマウス１６０は、基部１６２と、基部の外縁１６８から内向きに位置づけられたヒンジ１６６によって、基部にヒンジ式で取り付けられたパームレスト部１６４とを含む。パームレスト部１６４は、ヒンジ１６６を導き、かつ基部１６２に対してパームレスト部の角度調節を方向づけるために、内部湾曲レール１７０を含む。ヒンジ１６６は、安定した位置において所望の角度でパームレスト部を位置づけるのに十分な摩擦を有する。使用者は、基部１６２に対してパームレスト部１６４を旋回させ、ヒンジ１６６の摩擦がパームレスト部を所望の位置において維持することを可能にすることによって、所望の角度を選択することができる。
【００９６】
図３９を参照すると、他の実施形態の調節可能なマウスは、概して１８０で表示される。示されるように、調節可能なマウス１８０は、基部１８２ならびにサムレスト部１８６および指部分（それぞれ１８８で表示される）を有するパームレスト部１８４を含む。パームレスト部１８４は、基部の外縁においてヒンジ１９０によって、ヒンジ式で基部１８２に接続される。パームレスト部１８４は、図３９に例示された三つのくさび１９２、１９４、１９６のうちの一つのくさびによって、基部１８２に対して角度づけされることができるか、または傾斜させられることができる。一実施形態において、くさび１９２、１９４、１９６は、調節可能なマウスの基部に対するパームレスト部の角度または傾斜を可変させるために、使用されることができる（例えば、垂直軸に対して１０度、２０度または３０度の角度）。
【００９７】
図４０Ａ，４０Ｂおよび４０Ｃを参照すると、他の実施形態の調節可能なマウスは、概して２００で表示され、図１７〜２６において示される調節可能なマウス６０に類似している。示されるように、調節可能なマウス２００は、パームレスト部２０２およびサムレスト部２０４を含む。パームレスト部２０２は、二部品パーム係合部２０６および三つの指部分２０８、２１０、２１２を含む。指部分２０８、２１０、２１２は、不快感を軽減するために、使用者の狭められた手が垂直方向に拡張し、かつ指先を水平方向に伸展させることを可能にするために、拡張するように構成される。指部分２０８、２１０、２１２の拡張は、調節可能なマウス２００の基部への個別のボタンに取り付けられたロッドなど、任意の適した構造によって、達成されることができる。ロッドは、ボールジョイントに接続されることができるか、または調節可能なマウスの指２０８、２１０、２１２の容易な操作を可能にする類似の機構に接続されることができる。指部分２０８、２１０、２１２の拡張は、図１１および１２において示される親指調節アセンブリおよび基部調節アセンブリを伸展させるために使用される機構によって、さらに達成されることができる。一実施形態において、ボタンを定位置に固着するために、ボールジョイントは、摩擦ベースであることができるか、または、磁石は、ボタンを磁化して定位置に維持するために、入力制御領域の下もしくは中に置かれることができる。代替的に、各ボタンを定位置にロックするために、ロックおよびピン機構が、使用されることができるか、または、走行の平面を設定するために、レールシステムが、使用されることができる。
【００９８】
本明細書において開示される調節可能なマウスの特定の実施形態において、基部に対するパームレスト部の傾斜角度調節機構は、垂直に配向された配置またはより水平に配向された配置のどちらか一方のほうへ調節可能なマウスのパームレスト部を再位置づけするために、使用される。いくつかの実施形態について、ヒンジは、ヒンジと関連づけられた摩擦によって、同じ位置に維持されるが、ヒンジは、ロックおよびピン配列、ブレーキパッド、レバー、ボタンなどを使用することによって、定位置にロックされることができる。他の実施形態において、ねじまたはノブは、パームレスト部の角度が基部に対して傾斜させられることを可能にするであろうギアを移動させるために、使用されることができる。ねじまたはノブは、基部に対してパームレスト部を締めるかまたは緩めるために、使用されることができる。
【００９９】
本明細書において開示される傾斜角度調節機構は、使用者が自らの手にとって机の表面に対する快適な位置を見つけることを可能にする。使用者が特定の位置に慣れている場合でも、使用者は、角度を新しい角度に傾斜させるために、再位置づけすることができる。調節可能なマウスのこの機能性は、手の一領域へのストレスおよび緊張を低減することを助け、かつ、特定の位置を過度に使用することまたは使用者の手に一定の圧力を適用することから問題を引き起こす可能性を低減する。
【０１００】
図４１〜４７は、本開示の他の実施形態の、概して２１０で表示されるマウスを例示する。示されるように、マウスは、親指調節アセンブリおよび基部調節アセンブリを含む。
【０１０１】
本明細書において論じられるように、調節可能なマウスの構成部品の伸展は、一つまたは複数の場所において接続された指およびパームレストを有することによって、達成されることができる。これは、入力制御および／またはパーム伸展に接続されたロッドを使用することによって、達成されることができ、入力制御およびパーム伸展は、設定された運動の平面において一つまたは複数のロッドを方向づけるであろう一つまたは複数のロッドを囲む中空の空洞によって、適所において固定されている。一つまたは複数のロッドは、必ずしも形状において円筒形である必要はないが、設定された運動の平面が達成されることを可能にするために、中空の空洞において保持されなければならない。レールシステム、ギア、モーター、ディボット、または磁石でさえ、入力制御およびパーム伸展を定位置にロックしながらそれらを移動させるために、使用されることができる。パーム伸展は、後方に伸展する代わりに、上方に移動するようにも構成されることができる。入力制御およびパーム伸展が伸展および引っ込むことを可能にすることによって、使用者が調節可能なマウスを使用者の手にサイズ決定することを可能にする。
【０１０２】
他の実施形態は、マウスの中に位置づけられたセンサーを有するマイクロプロセッサーを含むことができ、センサーは、異なる調節を読み取ってスクリーンに示すか、または個人のアカウントに保存した。マイクロプロセッサーは、調節可能なマウスが他の人に使用された場合、使用者がデバイスを好ましい設定に再位置づけすることを可能にする。アカウントまたは一般的な設定ファイルに保存された場合、マイクロプロセッサーは、ＤＰＩ測定値、ドライバー設定、および調節可能なマウスの使用に関連した他の情報を維持することもできる。他のセンサーは、使用者の活動、ゲージ光などを測定するために、マウスの中において提供されることができる。マウスの底部付近に位置づけられたボタンは、右のマウスクリックを無効化するか、または右のマウスボタンのコマンドを変更するなど、ボタンのコマンドを変えるために、使用されることができる。別個のボタンは、ＤＰＩアジャスターボタンとして同じボタンを使用する代わりに、追加されることができる。
【０１０３】
他の様態で記述されない限り、「実質的に」という語の使用は、正確な関係、状態、配列、配向および／または他の特徴、ならびに、開示された方法およびシステムに著しく影響を与えない範囲で、当業者によって理解される、逸脱を含むように解釈され得る。
【０１０４】
本開示の全体を通して、名詞を修飾するための冠詞、「一つの」の使用は、利便性のために使用されると理解され得、かつ、具体的に他の様態で記述されない限り、修飾された名詞の一つまたは一つよりも多くを含むと理解され得る。
【０１０５】
（他のものと通信し、他のものと関連づけられ、かつ／または他のものに基づくように）説明され、かつ／または他の様態で図を通して描かれた、要素、構成要素、モジュール、および／またはそれらの部分は、本明細書において他の様態で規定されない限り、直接的および／または間接的な方法でそのように通信し、関連づけられ、および／または基づくと理解され得る。
【０１０６】
方法およびシステムは、その具体的な実施形態に関連して説明されてきたが、それらの方法およびシステムは、そのように限定されない。明らかに、多くの修正および変形は、上記の教示に鑑みれば明白になり得る。本明細書において説明され例示された部分の詳細、材料および配列における多くの追加的な変更は、当業者によってなされ得る。
【０１０７】
発明の好ましい実施形態を説明してきたが、これらの概念を導入する他の実施形態が使用され得るということは、当業者に明白になるだろう。従って、発明は、説明された実施形態に限定されるべきではなく、むしろ、添付の特許請求の範囲の趣旨および範囲によってのみ限定されるべきであるということが、述べられる。
【図１】
2018081689.tif 000002
【図２】
2018081689.tif 000003
【図３】
2018081689.tif 000004
【図４】
2018081689.tif 000005
【図５】
2018081689.tif 000006
【図６】
2018081689.tif 000007
【図７】
2018081689.tif 000008
【図８】
2018081689.tif 000009
【図９】
2018081689.tif 000010
【図１０】
2018081689.tif 000011
【図１１】
2018081689.tif 000012
【図１２】
2018081689.tif 000013
【図１３】
2018081689.tif 000014
【図１４】
2018081689.tif 000015
【図１５】
2018081689.tif 000016
【図１６】
2018081689.tif 000017
【図１７】
2018081689.tif 000018
【図１８】
2018081689.tif 000019
【図１９】
2018081689.tif 000020
【図２０】
2018081689.tif 000021
【図２１】
2018081689.tif 000022
【図２２】
2018081689.tif 000023
【図２３】
2018081689.tif 000024
【図２４】
2018081689.tif 000025
【図２５】
2018081689.tif 000026
【図２６】
2018081689.tif 000027
【図２７】
2018081689.tif 000028
【図２８】
2018081689.tif 000029
【図２９】
2018081689.tif 000030
【図３０】
2018081689.tif 000031
【図３１】
2018081689.tif 000032
【図３２】
2018081689.tif 000033
【図３３】
2018081689.tif 000034
【図３４】
2018081689.tif 000035
【図３５】
2018081689.tif 000036
【図３６】
2018081689.tif 000037
【図３７】
2018081689.tif 000038
【図３８】
2018081689.tif 000039
【図３９】
2018081689.tif 000040
【図４０】
2018081689.tif 000041
【図４１】
2018081689.tif 000042
【図４２】
2018081689.tif 000043
【図４３】
2018081689.tif 000044
【図４４】
2018081689.tif 000045
【図４５】
2018081689.tif 000046
【図４６】
2018081689.tif 000047
【図４７】
2018081689.tif 000048